(57)【要約】【課題】キャリッジを固定した状態で誤って電源を投入しもキャリッジを変形させることのない画像読取装置を提供する。【解決手段】装置本体１０１と、原稿の画像情報を読み取るための光学部品を備え、装置本体１０１に移動自在に支持された走査体８と、走査体８を駆動するための駆動手段と、駆動手段の駆動を伝達する駆動伝達手段１３と、を有した画像読取装置において、駆動伝達手段１３と走査体８とは駆動連結手段２０にて連結し、走査体８を装置本体１０１に固定する場合には、駆動連結手段２０と装置本体１０１とを締結手段１０２にて締結する。【選択図】図３
2009210740.tif 000002
【特許請求の範囲】
【請求項１】
装置本体と、原稿の画像情報を読み取るための光学部品を備え、前記装置本体に移動自在に支持された走査体と、前記走査体を駆動するための駆動手段と、前記駆動手段の駆動を伝達する駆動伝達手段と、を有した画像読取装置において、
前記駆動伝達手段と前記走査体とは駆動連結手段にて連結し、
前記走査体を前記装置本体に固定する場合には、前記駆動連結手段と前記装置本体とを締結手段にて締結することを特徴とする画像読取装置。
【請求項２】
前記駆動伝達手段は、複数のローラ間に卷回された駆動ワイヤであり、前記駆動ワイヤは、前記走査体に取り付けられた前記駆動連結手段に固定されることを特徴とする請求項１の画像読取装置。
【請求項３】
前記駆動連結手段は板金部材であり、前記走査体に突起を形成し、前記板金部材に形成された穴部に前記突起が嵌合することにより前記板金部材を前記走査体に着脱可能に取り付けることを特徴とする請求項２の画像読取装置。
【請求項４】
前記締結手段は、固定ねじであり、前記板金部材に形成されたねじ穴に螺合することにより、前記走査体を前記装置本体に固定することを特徴とする請求項３の画像読取装置。
【発明の詳細な説明】
【技術分野】
【０００１】
本発明は、複写機などの画像形成装置、スキャナ、などにおいて原稿台に載置された原稿の画像を読み取るための画像読取装置に関するものである。特に、本発明は、斯かる画像読取装置の内部に装着された、光学部品等を備えた走査体（キャリッジ）を装置本体に固定する構造に特徴を有している。
【背景技術】
【０００２】
従来、例えば、複写機等の画像形成装置の画像読取装置は、図５に示すように、プラテンガラス１と、プラテンガラス１の下をプラテンガラス１に沿って往復移動する、光学部品等を備えたキャリッジ８を備えている。キャリッジ８には、光学部品として、照明光源２、ミラー３、４、５、レンズ６、ラインセンサ７などが設置されている。画像読取装置１００Ａは、照明光源２によりプラテンガラス１の上に載置された原稿Ｓを照明する。そして、原稿Ｓからの反射光を、複数のミラー３、４、５により反射させてからレンズ６を通してラインセンサ７に結像し、ラインセンサ７から電気信号として画像情報を出力する。
【０００３】
キャリッジ８は軸受け手段９により画像読取装置１００Ａの装置本体（装置フレーム）１０１に設けられたガイドロッド１０に往復動自在に担持されており、ローラ１１、１２に卷回された駆動ワイヤ１３に駆動連結手段１７を介して結合されている。
【０００４】
駆動モータＭを駆動することにより、ローラ１１を駆動すると、駆動ワイヤ１３が駆動され、駆動連結手段１７を介して動力をキャリッジ８に伝達し、キャリッジ８を往復移動させる。
【０００５】
このような画像読取装置１００Ａにおいては、画像品質を保証するために、ミラー間、ミラーレンズ間、ラインセンサ位置を正確に調整して、キャリッジ８に固定されている。画像読取装置１００Ａの輸送時に、衝撃が加えられることで、キャリッジ８が移動して光学部品等が破損したり、調整された位置が移動してしまったりするのを防止することが重要である。そのために、輸送時等には、図６をも参照すると理解されるように、キャリッジ８が移動しないようにキャリッジ８の筐体（走査体フレーム）８０自体を直接、装置フレーム１０１に固定ビス１０２により固定することが行なわれている。特許文献１においても、同様の構成を記載している。
【特許文献１】特開平５−１９１５９０号公報
【発明の開示】
【発明が解決しようとする課題】
【０００６】
しかしながら、上記従来例では、誤って電源を投入して駆動モータＭを駆動させてしまうと、キャリッジ８が変形するおそれがあった。
【０００７】
つまり、キャリッジ８を装置フレーム１０１に直接固定しているため、駆動連結手段１７を介して付与される動作力とそれに抗してキャリッジ８を固定する反力とでキャリッジ８にせん断力が発生する。このせん断力により、キャリッジ８を歪ませて、各光学部品等の破損及び調整位置の移動が発生し、読取画像を劣化させたり、若しくは、動作不良の原因となっていた。
【０００８】
そこで、本発明の目的は、走査体を固定した状態で誤って駆動手段が駆動したとしても走査体を変形させることのない画像読取装置を提供することである
本発明の他の目的は、走査体を固定した状態で誤って駆動手段が駆動したとしても、走査体の変形に起因した部材の破損及び調整位置の変動により、読取画像を劣化させることのない画像読取装置を提供することである。
【課題を解決するための手段】
【０００９】
上記目的は本発明に係る画像読取装置にて達成される。要約すれば、本発明は、装置本体と、原稿の画像情報を読み取るための光学部品を備え、前記装置本体に移動自在に支持された走査体と、前記走査体を駆動するための駆動手段と、前記駆動手段の駆動を伝達する駆動伝達手段と、を有した画像読取装置において、
前記駆動伝達手段と前記走査体とは駆動連結手段にて連結し、
前記走査体を前記装置本体に固定する場合には、前記駆動連結手段と前記装置本体とを締結手段にて締結することを特徴とする画像読取装置である。
【発明の効果】
【００１０】
本発明によれば、走査体を固定した状態で、駆動手段が動作した場合でも光学部品等が破損したり、調整位置が変動するのを防止することができる。従って、読取画像に不具合を発生させることがなく、画像品質を保証することができる。
【発明を実施するための最良の形態】
【００１１】
以下、本発明に係る画像読取装置を図面に則して更に詳しく説明する。
【００１２】
実施例１
図１は、本発明の画像読取装置１００を、複写機等の画像形成装置やイメージスキャナに適用した時の一実施例の主要部の概略構成図である。図２は、図１に示す画像読取装置の原稿台を取り外した状態での平面図である。図３は、走査体（キャリッジ）を装置本体に固定した状態を示す斜視図である。
【００１３】
本実施例の画像読取装置１００は、先に説明した従来の画像読取装置１００Ａと同様の構成とされる。
【００１４】
つまり、本実施例の画像読取装置１００は、プラテンガラス１と、プラテンガラス１の下をプラテンガラス１に沿って往復移動する、光学部品等を備えた走査体、即ち、キャリッジ８を備えている。キャリッジ８は、筐体としての走査体フレーム（キャリッジフレーム）８０を有する。キャリッジフレーム８０には、光学部品として、例えばキセノンランプのような照明光源２、第１、第２、第３反射ミラー３、４、５、レンズ６、ＣＣＤのようなラインセンサ７などが設置されている。
【００１５】
画像読取装置１００は、照明光源２によりプラテンガラス１の上に載置された原稿Ｓを照明する。そして、原稿Ｓからの反射光を、複数の第１、第２、第３反射ミラー３、４、５により反射させてからレンズ６を通してラインセンサ７に結像し、ラインセンサ７から電気信号として画像情報を出力する。
【００１６】
キャリッジ８は、軸受け９により画像読取装置１００Ａの装置本体（装置フレーム）１０１に設けられたガイドロッド１０に移動自在に担持されている。軸受け９とガイドロッド１０は、キャリッジ８を往復運動させるためのガイド手段を構成する。また、装置フレーム１０１には、キャリッジ８の移動方向に直交する方向のキャリッジフレーム８０の両端部に位置して、駆動伝達手段としての駆動ワイヤ１３ａ、１３ｂ等が配置されている。
【００１７】
本実施例にて、キャリッジフレーム８０の両端部は、同様の構成とされる。従って、図面上においては、同じ構成及び機能をなす部材には同じ参照番号を付し、一方側（手前側）の部材には添え字ａを付し、他方側（奥側）の部材には添え字ｂを付して示す。
【００１８】
本実施例にて、駆動伝達手段は、キャリッジ８の移動方向の両端部に配置された対をなすローラ１１ａ、１２ａ（１１ｂ、１２ｂ）と、これら複数のローラ間に卷回された駆動ワイヤ１３ａ（１３ｂ）とにて構成される。つまり、装置フレーム１０１の手前側に、ローラ１１ａ、１２ａに卷回された駆動ワイヤ１３ａが配置され、装置フレーム１０１の奥側において、ローラ１１ｂ、１２ｂに卷回された駆動ワイヤ１３ｂが配置されている。装置フレーム１０１の奥側に配置された駆動手段としての駆動モータＭの駆動力がベルト１４及び駆動ローラ１５を介して、駆動軸１６にて連結されたローラ１１ａ、１１ｂに伝達される。
【００１９】
駆動ワイヤ１３ａ、１３ｂは、キャリッジフレーム８０の両端に配置された駆動連結手段２０ａ、２０ｂを介してキャリッジフレーム８０に結合されている。
【００２０】
従って、駆動手段としての駆動モータＭを駆動することにより、ローラ１１（１１ａ、１１ｂ）を駆動すると、駆動ワイヤ１３（１３ａ、１３ｂ）が駆動され、駆動連結手段２０（２０ａ、２０ｂ）を介して動力をキャリッジ８に伝達し、キャリッジ８を往復移動させる。
【００２１】
次に、特に図３（ａ）、（ｂ）を参照して、本発明の特徴をなす駆動連結手段について説明する。
【００２２】
以下の説明では、図３（ａ）にて手前側の構成が図示されているので、説明を簡単にするために、特段の断りがない場合には、手前側の構成について説明するが、奥側の構成も同様であることを理解されたい。
【００２３】
本実施例にて、駆動連結手段２０ａは、従来の駆動連結手段１７とは異なる構造とされる。即ち、駆動連結手段２０ａは、従来と同様に、板金部材とされ、キャリッジ８のフレーム８０に固定するための支持板部２１ａと、駆動ワイヤ１３ａを固定するための固定板部２２ａを備えている。更に、本実施例では、固定ねじ１０２ａを螺合するための第２の固定板部２３ａを備えている。第１、第２の固定板部２２ａ、２３ａは、支持板部２１ａに対して下方へと垂直方向に延在した舌片形状とされる。ただ、板金部材２０ａは、この形状に限定されるものではなく、当業者には種々の形状が想到されるであろう。
【００２４】
図３（ｂ）をも参照すると、駆動連結手段２０ａの支持板部２１ａには、キャリッジフレーム８０に形成した突起１０３ａに嵌合する穴部２４ａと、固定ねじ１０４ａが挿入される貫通孔２５ａが形成されている。駆動連結手段２０ａの支持板部２３ａには、固定ねじ１０２ａが螺合されるねじ穴２６ａが形成されている。
【００２５】
上記構成の画像読取装置１００を輸送する時には、図２、図３に示すように、装置フレーム１０１の穴（図示せず）を通して、連結部材２０ａ、２０ｂに固定ビス１０２ａ、１０２ｂをビス締結させることで、キャリッジ８を装置フレーム１０１に固定する。また、画像読取装置１００を設置して動作させる時には、固定ビス１０２ａ、１０２ｂを外す。
【００２６】
従来の装置では、図５、図６を参照して上述したように、輸送時等には、キャリッジ８が移動しないようにキャリッジ８の筐体（キャリッジフレーム）８０自体を直接、装置フレーム１０１に固定ビス１０２により固定することが行なわれていた。これに対して、本実施例では、駆動ワイヤ１３（１３ａ、１３ｂ）とキャリッジ８とを連結する駆動連結手段としての板金部材２０（２０ａ、２０ｂ）に対して固定ねじ１０２（１０２ａ、１０２ｂ）で固定される。これにより輸送時等におけるキャリッジ８の移動がないようにしている。
【００２７】
従って、本発明では、誤って電源を投入して駆動モータＭを駆動させ、駆動ワイヤ１３が引っ張られたとしても、力を受けるのは駆動連結手段２０だけである。そのために、キャリッジ８が変形することはない。
【００２８】
つまり、本発明によれば、キャリッジ８を固定した状態で誤って電源を投入しもキャリッジ８を変形させることはない。従って、キャリッジ８を固定した状態で誤って電源を投入しも、キャリッジ８の変形に起因した光学部品等の破損及び調整位置の移動が発生し、読取画像を劣化させたり、動作不良に起因した画像品質の低下をきたすことはない。
【００２９】
また、キャリッジ８と駆動連結手段（板金部材）２０は着脱可能なので、キャリッジで光学調整してから、装置に取り付けることが可能である。
【００３０】
実施例２
実施例１では、画像読取装置１００にて、往復運動する走査体は、１個のキャリッジ８のみとされたが、本発明の画像読取装置は、この構成に限定されるものではない。
【００３１】
例えば、図４に示すように、照明手段２及び第１ミラー３を支持し移動する第１走査体（キャリッジ）８Ａと、第２、第３ミラー４、５を支持し第１走査体８Ａの１／２の速度で移動する第２走査体（キャリッジ）８Ｂと、を備えた構成の画像読取装置１００においても、同様の構成とすることができる。
【００３２】
つまり、第１キャリッジ８Ａ及び第２キャリッジ８Ｂは共に、図示してはいないが、実施例１と同様にガイド手段にて往復移動可能とされ、駆動モータにて駆動伝達されるローラに卷回された駆動ワイヤに接続され、往復運動可能とされる。このような構成は当業者には周知であるので、これ以上の詳しい説明は省略する。
【００３３】
本実施例においても、第１キャリッジ８Ａ及び第２キャリッジ８Ｂには、それぞれ、駆動ワイヤ（図示せず）が接続される連結部材２０Ａ、２０Ｂを設け、輸送時等には、この連結部材２０Ａ、２０Ｂを固定ねじ（図示せず）で装置フレーム１０１に固定する構造とすることができる。
【００３４】
本実施例においても、上記構成とすることにより、実施例１と同様の作用効果を達成し得る。
【図面の簡単な説明】
【００３５】
【図１】本発明に係る画像読取装置の一実施例を説明する一部断面図とされた概略構成図である。
【図２】本発明に係る画像読取装置の一実施例を説明する原稿台を取り除いた状態の平面図である。
【図３】図３（ａ）は、駆動ワイヤとキャリッジと連結部材との関係を説明するための斜視図であり、図３（ｂ）は、連結部材の構造を説明するための斜視図である。
【図４】本発明に係る画像読取装置の他の実施例を説明する概略構成図である。
【図５】従来の画像読取装置の一例を説明する一部断面図とされた概略構成図である。
【図６】従来の画像読取装置における駆動ワイヤとキャリッジと連結部材との関係を説明するための斜視図である。
【符号の説明】
【００３６】
１                          原稿台ガラス
２                          照明光源
３、４、５                  反射ミラー
６                          結像レンズ
７                          ＣＣＤ
８、８Ａ、８Ｂ              キャリッジ（走査体）
９                          軸受け（ガイド手段）
１０                        ガイドロッド（ガイド手段）
１１（１１ａ、１１ｂ）、１２（１２ａ、１２ｂ）      ローラ（駆動伝達手段）
１３（１３ａ、１３ｂ）      駆動ワイヤ（駆動伝達手段）
２０（２０ａ、２０ｂ）      板金部材（駆動連結手段）
８０                        走査体（キャリッジ）フレーム（筐体）
１０１                      装置フレーム（装置本体）
１０２                      固定ねじ
Ｍ                          駆動モータ（駆動手段）
【図１】
2009210740.tif 000003
【図２】
2009210740.tif 000004
【図３】
2009210740.tif 000005
【図４】
2009210740.tif 000006
【図５】
2009210740.tif 000007
【図６】
2009210740.tif 000008